(57)【要約】【課題】高級感を損ない電食の原因となるネジや釘を使用せず、外観意匠に優れた構造で容易に網を張設出来る木製枠の網張設構造及び複合網戸を提供することを目的とする。【解決手段】木製枠と、この枠に網を張設する金属製の網取付部材とから構成され、上記網取付部材に、網押えロープと挟持して網の縁を保持する網保持部と、木製枠に連結する突起部を形成した挿入部とが備えられ、木製枠に溝を切り込み、この溝部に上記挿入部を挿し込むことにより網を張設した。このように、挿入部に設けた断面くさび状や釣針の返し状等の突起による抜け止め作用により、ネジ止め等することなく網取付部材を枠に固定出来るため、金属製の網取付部材の露出部分を少なく出来ることから木製枠の見栄えが良い。また、網押えロープを挟持して網の縁を保持する構造であるため、網張りや網の張替が簡単に行える。【選択図】  図１
2005002554.tif 000002
【特許請求の範囲】
【請求項１】
木製枠への網張設構造において、木製枠と、この枠に網を張設する金属製の網取付部材とから構成され、上記網取付部材に、網押えロープと挟持して網の縁を保持する網保持部と、木製枠に連結する突起部を形成した挿入部とが備えられ、木製枠に溝を切り込み、この溝部に上記挿入部を挿し込むことにより網を張設したことを特徴とする木製枠への網張設構造。
【請求項２】
木製枠に切り込みを入れた溝に接着剤を介在させて、網取付部材の挿入部を挿し込んだことを特徴とする請求項１記載の木製枠への網張設構造。
【請求項３】
網戸において木製枠と、この枠に網を張設する金属製の網取付部材とから構成され、上記網取付部材に、網押えロープと挟持して網の縁を保持する網保持部と、木製枠の連結する突起部を形成した挿入部とが備えられ、木製枠に溝を切り込み、この溝部に上記挿入部を挿し込むことにより網を張設したことを特徴とする木製枠と金属製網取付部材とから構成された複合網戸。
【発明の詳細な説明】
【０００１】
【発明の属する技術分野】
本発明は、建物の開口部に防虫の目的等で取り付けられる網を張設した木製枠の網張設構造及び複合網戸に関する。
【０００２】
【従来の技術】
建物の開口部にはサッシ戸等とともに防虫の目的等で網戸が取り付けられている。
これらは一般にアルミサッシの縦枠と横枠の押出成形時に凹部を形成し、その凹部へゴム製等からなる網押えロープを使用して網の縁部を押し込み、網押えロープとともに網の縁部を固定することで網を張設している。
アルミサッシでは、このように簡単に網押えロープ用の凹部が形成出来る。
近年これらの網戸では、高級感を出すためにサッシ戸等とともに木製の枠部材が使用されるようになっている。
【０００３】
【発明が解決しようとする課題】
本出願人は、網戸に高級感を出すために木製枠を検討した。
この木製枠には、アルミサッシのように簡単に網押えロープ用の凹部を形成出来ないことから、木製枠への網の張設は木製の桟や網の取付部材を使用して行われる。
しかしながら、木製の桟で網の縁部を押さえた場合、網の張替には桟の脱着が必要となり、網の張替に手間がかかるものとなってしまう。
取付部材を使用した場合は、図９に示すように網１３０の縁部を保持するアルミ製の取付部材１１０を枠１２０にネジ１２１もしくは釘で固定する。
この場合、取付部材１１０に凹部を設けてアルミサッシと同様に網押えロープを使用して網の張設を行い、網押えロープを脱着することで網の交換を簡単に行えるが、取付部材１１０が前面に露出し取付部材を固定するネジが残る構造では高級感が損なわれてしまう。
また、アルミ製の取付部材とネジ等他金属との間に、電食が発生する恐れがあった。
本発明は上記技術的課題に鑑みて、高級感を損ない電食の原因となるネジや釘を使用せず、外観意匠に優れた構造で容易に網を張設出来る木製枠の網張設構造及び複合網戸を提供することを目的とする。
【０００４】
【課題を解決するための手段】
請求項１記載の発明の技術的要旨は、木製枠への網張設構造において、木製枠と、この枠に網を張設する金属製の網取付部材とから構成され、上記網取付部材に、網押えロープと挟持して網の縁を保持する網保持部と、木製枠に連結する突起部を形成した挿入部とが備えられ、木製枠に溝を切り込み、この溝部に上記挿入部を挿し込むことにより網を張設した点である。
【０００５】
網取付部材に設けた突起部とは、断面くさび形状のものや釣針の返し状の形状等が例として上げられる。
このように、挿入部に設けた断面くさび状や釣針の返し状等の突起による抜け止め作用により、ネジ止め等することなく網取付部材を枠に固定出来るため、金属製の網取付部材の露出部分を少なく出来ることから木製枠の見栄えが良い。
また、網押えロープを挟持して網の縁を保持する構造であるため、網張りや網の張替が簡単に行える。
また、電食が発生する恐れもない。
【０００６】
請求項２記載の発明の技術的要旨は、請求項１記載の発明の要旨に加えて、木製枠に切り込みを入れた溝に接着剤を介在させて、網取付部材の挿入部を挿し込んだ点である。
【０００７】
このように接着剤を介在させると、木製枠への溝の切り込み幅に多少のバラツキがあっても、この接着剤で吸収することが出来るので網取付部材と枠はより強固に連結される。
【０００８】
請求項３記載の発明の要旨は、網戸において木製枠と、この枠に網を張設する金属製の網取付部材とから構成され、上記網取付部材に、網押えロープと挟持して網の縁を保持する網保持部と、木製枠の連結する突起部を形成した挿入部とが備えられ、木製枠に溝を切り込み、この溝部に上記挿入部を挿し込むことにより網を張設した複合網戸とした点である。
【０００９】
木製枠と金属製の網取付部材を連結する方法として、木製枠側に溝を切り込み金属製の網取付部材を挿入する構造にしたので高級感があり、特に金属製の網取付部材としてアルミ形材を用いた場合には、他の金属であるネジを使用しなくて済むので、電食発生の恐れもない長期間高級感を維持できる複合網戸が得られた。
【００１０】
【発明の実施の形態】
本発明に係る網張設構造を適用した複合網戸の正面図を図１（イ）に示す。
建物の躯体開口部に木製の縦枠２２、２３と上枠２４、下枠２５が設けられ、木製枠２０を形成し、その内側に金属製で例えばアルミ形材の網取付部材１０ａ、１０ｂ、１０ｃ、１０ｄが取り付けられ、この網取付部材により網３０がこの木製枠２０の内側に張設されて木製枠と金属製網取付部材とから構成される複合網戸４０を形成している。
なお、網戸４０は持つ手等は図示省略し、枠と網部分を簡略化して描いてある。
Ａ−Ａ線断面図を図１（ロ）に示す。
木製枠２０の開口部内周２７である下枠２５上面には溝部２１が設けられている。
ここで、枠２０だけを描いた図８に示すように、この溝部２１は枠２０の開口部２６の内周２７に沿った網の張設部分に設けられている。
なお、この木製枠に切り込みを入れた溝部２１は、網取付部材を取り付ける網の張設範囲であれば枠の前面等に設けてもよく、必ずしも開口部内周に設ける必要はない。
【００１１】
図１（ロ）において、網３０はその縁部３１を網押えロープ３２と断面略コ字状の網保持部１７の凹部１８に挟持されている。
そして、縁部３１が網押えロープ３２とともに係止片１６ａ、１６ｂにより網保持部１７に固定されることで、網取付部材１０ｄに網３０が保持されている。
網取付部材１０ｄには板状に突出した挿入部１３が設けられている。
網取付部材１０ｄの挿入部１３部分の断面の拡大図を図２（イ）に示す。
挿入部１３の板状の両面には、断面くさび状の突起１４ａ、１４ｂが設けられている。
図１（ロ）において、網取付部材１０ｄは挿入部１３が下枠２５の溝部２１へ挿し込まれ、くさび状の突起１４ａ、１４ｂが溝２１の内壁へくい込むことで枠と連結固定されている。
このように、挿入部には抜け止め作用が突起により働き、網取付部材と枠を連結している。
そして、溝部に接着剤を介在させて網取付部材の挿入部を挿し込むと、溝の切り込み幅に多少のバラツキがあっても接着剤で吸収され、より強固に挿入部は溝部に連結固定される。
挿入部に設けた突起の断面が釣針の返し状である場合の挿入部材の断面を図２（ロ）に示す。
突起１５ａ、１５ｂの先端は鋭利に形成され、挿入部１３ａが木製枠の溝から抜ける方向の力が働くと、溝の内壁に突起がくい込む形状となっている。
【００１２】
図３（イ）は４５°カットの木製枠と網取付部材の組立図である。
木製枠２２ａ、２３ａ、２４ａ、２５ａに網取付部材１１ａ、１１ｂ、１１ｃ、１１ｄを組み合わせる状態を示している。
なお、固定用のビス等は図示省略してある。
この木製枠２２ａへ網取付部材１１ａを取り付ける状態を図４（イ）に示す。
図４（イ）は木製枠２２ａへ網取付部材１１ａの挿入部１３ｂを挿し込む前の状態である。
網取付部材１１ａは挿入部１３ｂをそのまま挿し込むか、挿入部１３ｂと木製枠２２ａの少なくとも一方に接着剤を塗布し、接着剤を介在させた状態で挿入部を溝部２１ａへ挿し込み固定される。
このように、網取付部材の木製枠への取り付けは、非常に容易で作業性が良い。
網取付部材１１ａの端は、別の網取付部材と合わせて網保持部１７ａによる凹部１８ａの角を形成するために４５°にカットされている。
図４（ロ）に木製枠２２ａに切り込みを入れた溝部２１ａへ接着剤２８を介在させて網取付部材１１ａの挿入部１３ｂを挿し込んだ状態を示す。
木製枠２２ａと網取付部材１１ａの端は、組み立て後に別の木製枠と網取付部材により覆われるため、網取付部材１１ａの露出部位は網保持部１７ａだけとなる。
図３（ロ）に木製枠と網取付部材を組み立てた図を示す。
網取付部材１１ａ、１１ｂ、１１ｃ、１１ｄで露出している部位は、それぞれの網保持部だけとなるため、外観意匠に優れている。
木製枠と網取付部材を組み立てると、網取付部材の網保持部の凹部が方形に連続して枠の開口部２６周りに方形のロープ嵌入部１９が形成される。
そして、この方形のロープ嵌入部１９上へ図５に示すように網３０ａを載せ、網３０ａ上から方形のロープ嵌入部１９形状に適合した網押えロープ３２ａをロープ嵌入部１９へ押し込むことで網３０ａが張設される。
このように、網の張設は簡単に行える。
網の張替も網押えロープを外して網を交換するだけであり簡単に行える。
網押えロープ３２ａをロープ嵌入部へ押し込み、網３０ａを張設し、網戸４０ａを組み立てた状態を図６に示す。
網戸４０ａは、木製枠と金属製網取付部材とから構成された複合網戸となっている。
そして、網取付部材の固定にはネジや釘を使用していないので、例えばアルミ形材の網取付部材を使用した場合に、ネジや釘等他金属との間に電食が発生する恐れはない。
網取付部材の露出部分は少なく、木製枠の高級感を損なうことはない。
【００１３】
図７に９０°カットの木製枠の場合を示す。
図７（イ）は９０°カットの木製枠２２ｂ、２３ｂ、２４ｂ、２５ｂの溝へ網取付部材１２ａ、１２ｂ、１２ｃ、１２ｄを取り付ける状態を示している。
網取付部材は、挿入部を溝部へそのまま挿し込むか、溝部に接着剤を介在させて挿入部を挿し込み固定される。
図７（ロ）は９０°カットの木製枠２５ｄへの網取付部材１２ｄの取付状態を示している。
網取付部材１２ｄの端部の網保持部１７ｂは４５°にカットされ、挿入部１３ｃは９０°にカットされている。
図７（ハ）は９０°カットの木製枠と網取付部材を組み立て、網を網押えロープで取り付け、網戸４０ｂが組み立てられた状態を示している。
【００１４】
釣針の返し状の突起を挿入部に設けた網取付部材を、接着剤を介して木製枠に取り付けた場合の接着力の評価を行った。
木製枠の溝に接着剤を注入するとともに、アルミ製の長さ１０ｃｍの網取付部材の挿入部にも接着剤を塗布し、木製枠に網取付部材を取り付けて試験体とした。
この試験体は２つ１組とし、２つの試験体の間に網を張設して強度試験機で、この２つの木製枠間に引張力を加えることで接着力の評価を行った。
接着力は次の式を用いて導出した。
接着力＝最大荷重／試験体長さ（Ｎ／ｃｍ）
評価はＡ、Ｂ、２種類の接着剤を用いて、それぞれ１０組の試験体に対して行った。
接着剤Ａの場合は接着力の平均値は１４２．６０Ｎ／ｃｍ、最大値は１８８．９３Ｎ／ｃｍ、最小値は１０３．５６Ｎ／ｃｍ、標準偏差は２７．４３Ｎ／ｃｍであった。
接着剤Ｂの場合は、接着力の平均値は１３６．９０Ｎ／ｃｍ、最大値は２０４．０３Ｎ／ｃｍ、最小値は８７．４５Ｎ／ｃｍ、標準偏差は３９．０４Ｎ／ｃｍであり、いずれの接着剤の場合も十分な性能があった。
【００１５】
また、接着力の耐久性の評価も実施した。
構造用集成材に用いられている促進劣化処理法を試験体に対して実施した後に、試験体の接着力を測定することで評価した。
促進劣化処理法の一サイクルは、試験体を耐圧タンク内で常温水に浸漬して、−６３５ｍｍＨｇで５分間減圧した後常温へ戻した上、５ｋｇｆ／ｃｍ２で１時間加圧するまでを２回行った後、７０±３℃で１８時間以上乾燥するものである。
【００１６】
接着力測定は、試験体に対してこの促進劣化処理法を一回実施したものと二回実施したものに対して行った。
一回実施した場合、その接着力は接着剤Ａでは平均値は１５３．０６Ｎ／ｃｍ、最大値は１７７．４０Ｎ／ｃｍ、最小値は１１２．７９Ｎ／ｃｍ、標準偏差は２３．２５Ｎ／ｃｍで、接着剤Ｂでは平均値は１５９．９０Ｎ／ｃｍ、最大値は１８０．５８Ｎ／ｃｍ、最小値は１２２．４４Ｎ／ｃｍ、標準偏差は２０．７２Ｎ／ｃｍであった。
二回実施した場合、その接着力は接着剤Ａでは平均値が１３５．２３Ｎ／ｃｍで、最大値が１６８．６８Ｎ／ｃｍ、最小値が９１．１７Ｎ／ｃｍ、標準偏差は２３．８７Ｎ／ｃｍで、接着剤Ｂでは平均値は１４６．４３Ｎ／ｃｍ、最大値は１９１．９８Ｎ／ｃｍ、最小値が９５．２３Ｎ／ｃｍ、標準偏差は３２．３５Ｎ／ｃｍであった。
いずれの場合でも十分な接着性能があった。
【００１７】
【発明の効果】
本発明の網張設構造は木製枠に溝を切り込み、この溝部に網取付部材の挿入部を挿し込み網を張設するため、ネジ止め等することなく網取付部材を枠に固定出来る。
このため、木製枠における金属製の網取付部材の露出部分を少なく出来るため木製枠の見栄えが良い。
また、網押えロープを挟持して網の縁を保持し、網を張設する構造であるため網張りや網の張替が簡単に行える。
【００１８】
溝部に接着剤を介在させて網取付部材の挿入部を挿し込むと、木製枠の溝の切り込み幅に多少のバラツキがあっても、この接着剤で吸収することが出来るので網取付部材と枠はより強固に連結される。
【００１９】
また、本発明の複合網戸は、木製枠と金属製の網取付部材を連結する方法として、金属製の網取付部材を木製枠側に溝を切り込み挿入する構造にしたので、網取付部材の露出部分も少なく高級感がある。
また、ネジや釘を使用して網取付部材を固定する必要がないため、アルミ形材の網取付部材を使用しても電食が発生する恐れがない。
【図面の簡単な説明】
【図１】（イ）本発明に係る網張設構造を適用した複合網戸を示す。
（ロ）図１のＡ−Ａ線断面図を示す。
【図２】（イ）網取付部材の挿入部が断面くさび状の場合を示す。
（ロ）網取付部材の挿入部が断面釣針の返し状の場合を示す。
【図３】（イ）４５°カットの木製枠と網取付部材の組立図を示す。
（ロ）４５°カットの木製枠と網取付部材の組立状態を示す。
【図４】（イ）４５°カットの木製枠へ網取付部材を取り付ける状態を示す。
（ロ）４５°カットの木製枠へ網取付部材を取り付けた状態を示す。
【図５】網押えロープで網を枠へ取り付ける状態を示す。
【図６】枠に網を張設した状態を示す。
【図７】（イ）９０°カットの木製枠と網取付部材の組立図を示す。
（ロ）９０°カットの木製枠と網取付部材の組立状態を示す。
（ハ）９０°カットの木製枠を使用した網戸の組立状態を示す。
【図８】木製枠に設けた溝を示す。
【図９】従来の木製枠を使用した網戸例を示す。
【符号の説明】
１０ａ、１０ｂ、１０ｃ、１０ｄ    網取付部材
１１ａ、１１ｂ、１１ｃ、１１ｄ    網取付部材
１２ａ、１２ｂ、１２ｃ、１２ｄ    網取付部材
１３、１３ａ、１３ｂ、１３ｃ      挿入部
１４ａ、１４ｂ、１５ａ、１５ｂ    突起
１６ａ、１６ｂ    係止片
１７、１７ａ、１７ｂ    網保持部
１８、１８ａ    凹部
１９    ロープ嵌入部
２０    木製枠
２１、２１ａ    溝部
２２、２２ａ、２２ｂ、２３、２３ａ、２３ｂ    木製縦枠
２４、２４ａ、２４ｂ    木製上枠
２５、２５ａ、２５ｂ    木製下枠
２６    開口部
２７    開口部内周
３０、３０ａ    網
３１    網縁部
３２、３２ａ    網押えロープ
４０、４０ａ、４０ｂ    複合網戸
【図１】
2005002554.tif 000003
【図２】
2005002554.tif 000004
【図３】
2005002554.tif 000005
【図４】
2005002554.tif 000006
【図５】
2005002554.tif 000007
【図６】
2005002554.tif 000008
【図７】
2005002554.tif 000009
【図８】
2005002554.tif 000010
【図９】
2005002554.tif 000011